(57)【要約】本発明は、スマートカードホルダー及び電子機器を開示し、機械技術分野に属する。スマートカードホルダーはホルダー本体とスマートカードの金属チップに電気的に接触する少なくとも１つのホルダー端子とを備え、各ホルダー端子は、端子固着部及び帯状の端子アームを備え、端子アームの尾部は端子固着部の第１固着端と固着接続され、端子アームの頭部は端子固着部の第２固着端と接触して載置され、端子アームの中間部は、端子アームの尾部及び端子アームの頭部より高い。端子アームの尾部と端子固着部の第１固着端とが固着接続し、端子アームの頭部と端子固着部の第２固着端とが接触することにより、端子アームの頭部が過大な圧力に起因してスプリングバックできなくなり、スマートカードホルダーとスマートカードとの間の電気回路が導通できなくなる問題を解决し、スマートカードホルダーとスマートカードとの間の接続の安定性を向上させる効果に達した。【選択図】図２Ａ
2017513206.tif 000002
【特許請求の範囲】
【請求項１】
スマートカードホルダーであって、
前記スマートカードホルダーは、ホルダー本体と、スマートカードの金属チップに電気的に接触するための少なくとも１つのホルダー端子と、を備え、
各前記ホルダー端子は、いずれも、端子固着部及び帯状の端子アームを備え、前記端子アームの尾部は、前記端子固着部の第１固着端と固着接続され、前記端子アームの頭部は、前記端子固着部の第２固着端に接触して載置され、前記端子アームの中間部は、前記端子アームの尾部及び前記端子アームの頭部より高いことを特徴とするスマートカードホルダー。
【請求項２】
前記端子固着部は、中間がカットアウトされた枠形金属構造であり、前記端子アームは、前記端子固着部のカットアウトされた場所の上方に位置することを特徴とする請求項１に記載のスマートカードホルダー。
【請求項３】
前記第２固着端には、カットアウトされた場所に向かって相対的に突起する２つの曲折部が設置され、
各前記曲折部は、前記端子アームの尾部から頭部への方向において、次第に低くなっていることを特徴とする請求項１に記載のスマートカードホルダー。
【請求項４】
前記端子アームの頭部には、両側に向かって対向して突起する２つの支持部が設置されることを特徴とする請求項３に記載のスマートカードホルダー。
【請求項５】
前記ホルダー本体は、前記端子アームの頭部の下方位置において、金属平板が設置されていることを特徴とする請求項４に記載のスマートカードホルダー。
【請求項６】
前記スマートカードホルダーにスマートカードが挿入されていない場合、前記支持部は、それぞれ、前記曲折部に接触して置かれ、
前記スマートカードホルダーにスマートカードが挿入された場合、前記支持部は、前記曲折部から離れて前に向かって前記金属平板に接触して摺動することを特徴とする請求項５に記載のスマートカードホルダー。
【請求項７】
前記金属平板の面積は、前記端子アームの頭部が摺動する際の摺動面積より大きいことを特徴とする請求項６に記載のスマートカードホルダー。
【請求項８】
請求項１〜７のいずれか１項に記載のスマートカードホルダーを備えることを特徴とする電子機器。
【発明の詳細な説明】
【相互参照】
【０００１】
本願は、出願番号が２０１５１０１０９９０９.５であって、出願日が２０１５年３月１３日である中国特許出願に基づき優先権を主張し、当該中国特許出願のすべての内容を本願に援用する。
【技術分野】
【０００２】
本発明は、機械技術分野に関し、特に、スマートカードホルダー及び電子機器に関する。
【背景技術】
【０００３】
スマートカードホルダーは、携帯電話等の電子機器の必須部品であり、電子産業の発展に伴い、スマートカードホルダーの形態も多様化を呈している。
【０００４】
通常、スマートカードホルダーにはホルダー端子を設け、当該ホルダー端子をホルダー本体に固着し、且つ、ホルダー端子は、端子固着部及び端子アームを備え、端子アームの尾部は端子固着部に接続し、端子アームの頭部は、自由な状態になって、スマートカードをホルダーに挿入した後、スマートカードの金属チップが端子アームと電気的に接続されていることを確保し、そしてスマートカードを抜き取った後、端子アームはスプリングバック（弾性回復）することができる。
【発明の概要】
【０００５】
本発明は、従来技術にかかる問題を解決するため、スマートカードホルダー及び電子機器を提供する。前記技術案は、次の通りである。
【０００６】
本発明の実施例の第１態様によれば、スマートカードホルダーを提供し、前記スマートカードホルダーは、ホルダー本体と、スマートカードの金属チップに電気的に接触する少なくとも１つのホルダー端子を備え、
各前記ホルダー端子には、いずれも端子固着部及び帯状の端子アームを備え、前記端子アームの尾部は、前記端子固着部の第１固着端と固着接続され、前記端子アームの頭部は、前記端子固着部の第２固着端と接触して載置され、前記端子アームの中間部は、前記端子アームの尾部及び前記端子アームの頭部より高い。
【０００７】
本発明の実施例の第２態様によれば、電子機器を提供し、前記電子機器は、本発明の実施例の第１態様に記載のスマートカードホルダーを備える。
【０００８】
本発明に係る実施例が提供する技術案は、次のような有益な効果を果たすことができる。
【０００９】
端子アームの尾部と端子固着部の第１固着端とが固着接続し、端子アームの頭部と端子固着部の第２固着端とが接触することにより、端子アームの頭部が端子固着部に安定されることで、端子アームの頭部が自由な状態になって、スマートカードを引き抜いた後、端子アームの頭部が過大な圧力に起因してスプリングバックすることができなくなり、さらに、スマートカードを再度挿入する場合、スマートカードホルダーとスマートカードとの間の電気回路が導通することができなる問題を解决するとともに、スマートカードホルダーとスマートカードとの間の接続の安定性を向上する効果を達することができる。
【００１０】
上記の一般的な説明および後述の詳細な説明は、例示的かつ解釈的なものに過ぎず、本発明を限定するものではないことを理解すべきである。
【図面の簡単な説明】
【００１１】
ここで、図面は明細書に組み込んで本明細書の一部とし、本発明に合致する実施例を示すとともに、明細書とともに本発明の原理を説明する。
【００１２】
【図１】一例示的な実施例に係るホルダー端子の構造を示す模式図である。
【図２Ａ】一例示的な実施例に係るスマートカードホルダーの構造を示す模式図である。
【図２Ｂ】一例示的な実施例に係るスマートカードホルダーにおける１つのホルダー端子の構造を示す模式図である。
【図２Ｃ】一例示的な実施例に係るホルダー端子の頭部の構造を示す模式図である。
【図２Ｄ】一例示的な実施例に係るスマートカードホルダーにスマートカードが挿入される前後におけるホルダー端子の構造を示す模式図である。
【発明を実施するための形態】
【００１３】
ここで、例示的実施例を詳しく説明し、その実施例は図面に示される。以下の説明は図面に係る場合、特別に示されない限り、異なる図面における同じ符号は同じ又は共通する要素を示す。本発明に合致するすべての実施の形態は、以下の例示的実施例で記述される実施の形態に限られない。逆に、以下の例示的実施例で記述される実施の形態は、特許請求の範囲に詳しく記述される、本発明のいくつかの形態に合致する装置及び方法の実例に過ぎない。
【００１４】
図１は、一例示的な実施例に係るホルダー端子の構造を示す模式図であり、図１に示すように、ホルダー端子は、端子固着部１１及び端子アーム１２を備え、端子アーム１２の尾部１２１は、端子固着部１１に接続し、端子アーム１２の頭部１２２は、自由な状態にある。端子アーム１２の頭部１２２は、主にスマートカードの金属チップと電気的に接触することに用いられ、スマートカードホルダーにスマートカードが挿入される場合、端子アーム１２は、スマートカードからの圧力を受け、端子アーム１２の頭部１２２は、スマートカードの金属チップと電気的に接触し、且つ圧力によって下に移動し、端子アーム１２の尾部１２１と端子固着部１１との接続点は、圧力によっても変形する。スマートカードがスマートカードホルダーから引き抜かれた場合、端子アーム１２の受けたスマートカードからの圧力が解除され、通常の状況において、端子アーム１２の頭部１２２は、元の位置にスプリングバックすることができ、端子アーム１２の尾部１２１と端子固着部１１との接続点は、元の形状に戻ることもできる。
【００１５】
実際に使用する場合、端子アーム１２の尾部１２１と端子固着部１１との接続点は、受け可能な圧力に限界があり、このために、端子アーム１２がスマートカードからの圧力を長期間に受けた場合、又は受けた圧力が受け可能な圧力の最大値を超えた場合、端子アーム１２の尾部１２１と端子固着部１１との接続点は、変形した後元の形状に戻ることができなくなる可能性があり、さらに、端子アーム１２の頭部１２２が、元の位置にスプリングバックすることができなくなる。この時のスマートカードホルダーにスマートカードが挿入される場合、端子アーム１２の頭部１２２が元の位置にスプリングバックされていないため、端子アーム１２の頭部１２２とスマートカードの金属チップとの間の電気的な接触が、失敗する可能性があり、したがって、当該スマートカードホルダーを有する電子機器は、スマートカードを読み取ることができなくなる。
【００１６】
このため、上記の状況の発生を防止するために、改良後のスマートカードホルダーを提供する必要があり、図２Ａを参照し、それは一例示的な実施例に係るスマートカードホルダーの構造を示す模式図である。図２Ａに示すように、前記スマートカードホルダーは、ホルダー本体２１と、スマートカードの金属チップに電気的に接触する少なくとも１つのホルダー端子２２と、を備える。
【００１７】
各のホルダー端子２２について、図２Ｂを参照し、それは一例示的な実施例に係るスマートカードホルダーにおける１つのホルダー端子の構造を示す模式図である。図２Ｂに示すように、各ホルダー端子２２には、いずれも、端子固着部２２１及び帯状の端子アーム２２２を備え、端子アーム２２２の尾部２２２１は、端子固着部２２１の第１固着端２２１１と固着接続され、端子アーム２２２の頭部２２２３は、端子固着部２２１の第２固着端２２１２に接触して載置され、端子アーム２２２の中間部２２２２は、端子アーム２２２の尾部２２２１及び端子アーム２２２の頭部２２２３より高い。
【００１８】
端子アーム２２２の中間部２２２２は、主に、スマートカードの金属チップに直接に電気的に接触することに用いられるため、端子アーム２２２の中間部２２２２は、端子アーム２２２の尾部２２２１及び端子アーム２２２の頭部２２２３よりも高く、即ち、当該端子アーム２２２の中間部２２２２は、突起構造となっており、当該突起構造は、端子アーム２２２を折り曲げることによって作成することもでき、金型で直接に作成してもよく、本実施例では、端子アーム２２２の中間部２２２２の作成形態に特に限定がない。
【００１９】
選択的に、端子固着部２２１は、その中がカットアウトされた枠形の金属構造であり、端子アーム２２２は、当該端子固着部２２１のカットアウトされた場所の上方に位置する。
【００２０】
当該端子固着部２２１は、その中がカットアウトされた枠形金属構造であり、且つ、当該枠形金属構造の内側において、端子アーム２２２の尾部２２２１の位置に対応する位置で第１固着端２２１１が設置され、当該枠形金属構造の内側において、端子アーム２２２の頭部２２２３の位置に対応する位置で第２固着端２２１２が設置される。
【００２１】
端子アーム２２２は、当該端子固着部２２１のカットアウトされた場所の上方に位置し、当該カットアウトされた場所は、当該端子アーム２２２が伸び広がるための空間を提供する。通常、当該カットアウトされた場所には、スマートカードが挿入された時に、圧力によって下方へ押された端子アーム２２２を収納することができる。
【００２２】
選択的に、第２固着端２２１２には、カットアウトされた場所に向かって相対的に突起する２つの曲折部が設置されている。各曲折部は、端子アーム２２２の尾部２２２１から頭部２２２３への方向において、次第に低くなっている。
【００２３】
図２Ｃを参照し、それは一例示的な実施例に係るホルダー端子の頭部の構造を示す模式図である。図２Ｃに示すように、第２固着端２２１２には、カットアウトされた場所に向かって相対的に突起する曲折部２２１２ａ及び曲折部２２１２ｂが設置されている。曲折部２２１２ａ及び曲折部２２１２ｂは、いずれも、端子アーム２２２の尾部２２２１から頭部２２２３への方向において、次第に低くなっている。
【００２４】
説明すべきことは、このように設置した曲折部は、スマートカードホルダーにスマートカードが挿入されていない場合、端子アーム２２２の頭部２２２３とよりよく合わせて端子アーム２２２をよりよく支持することができる。したがって、スマートカードホルダーにスマートカードが挿入されていない場合、端子アーム２２２も、安定の状態を維持することができる。同時に、スマートカードホルダーにスマートカードが挿入される場合、このように設置した曲折部は、端子アーム２２２の頭部２２２３をよりスムーズに前に向かって摺動させる。
【００２５】
選択的に、端子アーム２２２の頭部２２２３には、両側に向かって対向して突起する２つの支持部が設置されている。
【００２６】
再度図２Ｃを参照し、図２Ｃに示すように、端子アーム２２２の頭部２２２３には、両側に向かって対向して突起する支持部２２２３ａ及び支持部２２２３ｂが設置されている。スマートカードホルダーにスマートカードが挿入されていない場合、支持部２２２３ａは、曲折部２２１２ａに接触して載置され、支持部２２２３ｂは、曲折部２２１２ｂに接触して載置される。スマートカードホルダーにスマートカードが挿入される場合、支持部２２２３ａ及び支持部２２２３ｂは、それぞれ、曲折部２２１２ａ及び曲折部２２１２ｂに沿って下方へ滑るようになる。
【００２７】
選択的に、ホルダー本体２１には、端子アーム２２２の頭部２２２３の下方位置において金属平板が設置されている。
【００２８】
図２Ｃを再度参照し、図２Ｃに示すように、端子アーム２２２の頭部２２２３の下方に位置するホルダー本体２１に、金属平板２１１が設置されている。当該金属平板２１１は、主に、端子アーム２２２の頭部２２２３が下方の電気回路基板で摺動する時に電気回路基板を損害することを防止し、且つ摺動する時に生成した切屑が端子アーム２２２の動作を影響することを防止することに用いられる。
【００２９】
選択的に、スマートカードホルダーにスマートカードが挿入されていない場合、支持部は、それぞれ曲折部に接触して置かれる。
【００３０】
スマートカードホルダーにスマートカードが挿入された場合、支持部は、曲折部から離れて前に向かって金属平板に接触して摺動する。
【００３１】
図２Ｄを参照し、それは一例示的な実施例に係るスマートカードホルダーにスマートカードが挿入される前後におけるホルダー端子の構造を示す模式図である。図２Ｄに示すように、スマートカードホルダーにスマートカードが挿入されていない場合、端子アーム２２２の頭部２２２３の支持部２２２３ａは、端子固着部２２１の曲折部２２１２ａに接触して載置され、端子アーム２２２の頭部２２２３の支持部２２２３ｂは、端子固着部２２１の曲折部２２１２ｂに接触して載置される。この場合、端子アーム２２２の頭部２２２３は、その下方の金属平板２１１に接触してもよく、当該金属平板２１１に接触しなくてもよい。スマートカードホルダーにスマートカードが挿入される場合、端子アーム２２２の中間部２２２２は、スマートカードの金属チップに接触し、且つスマートカードの圧力を受けて下に向かって移動する。端子アーム２２２の尾部２２２１と端子固着部２２１の第１固着端２２１１との接続点は、圧力を受けて変形する。端子アーム２２２の頭部２２２３の支持部２２２３ａ及び支持部２２２３ｂは、圧力を受けてそれぞれ端子固着部２２１の曲折部２２１２ａ及び曲折部２２１２ｂに沿って摺動し、そして曲折部２２１２ａ及び曲折部２２１２ｂから離れて次第に遠く離れて行く。スマートカードがスマートカードホルダーに完全に挿入された後、端子アームの頭部２２２３は、金属平板２１１と張り合わせることになる。
【００３２】
説明すべきことは、スマートカードホルダーにスマートカードが挿入される場合、端子アーム２２２の中間部２２２２は、当該スマートカードの圧力を直接に受け、且つ、受けた圧力を端子アーム２２２の尾部２２２１及び端子アーム２２２の頭部２２２３に分散し、このように、端子アーム２２２の尾部２２２１及び頭部２２２３は、いずれもスマートカードの圧力を受けることができ、したがって、端子アーム２２２の全体として受け可能な圧力の最大値を大きくさせることができるため、端子アーム２２２がスプリングバックすることができない現象が発生し難くなる。
【００３３】
選択的に、金属平板２１１の面積は、端子アーム２２２の頭部２２２３が摺動する際の摺動面積より大きい。
【００３４】
端子アーム２２２の頭部２２２３が下方の電気回路基板で摺動する時に電気回路基板を損害することを防止するために、金属平板２１１が設置されるため、当該金属平板２１１の面積は、端子アーム２２２の頭部２２２３が摺動する際の摺動面積より大きくする必要がある。
【００３５】
上記に述べたように、本実施例に係るスマートカードホルダーは、端子アームの尾部と端子固着部の第１固着端とが固着接続し、端子アームの頭部と端子固着部の第２固着端とが接触し、端子アームの頭部が端子固着部に安定されていることで、端子アームの頭部が自由な状態になって、スマートカードを引き抜いた後、端子アームの頭部が過大な圧力に起因してスプリングバックすることができなくなり、さらに、スマートカードが再度挿入される場合、スマートカードホルダーとスマートカードとの間の電気回路が導通することができなくなる問題を解决するとともに、スマートカードホルダーとスマートカードとの間の接続の安定性を向上させる効果に達することができる。
【００３６】
また、ホルダー本体は、端子アームの頭部の下方位置において金属平板が設置されている。スマートカードホルダーにスマートカードが挿入される場合、端子アームの頭部が当該金属平板で摺動するようになるため、端子アームの頭部が電気回路基板で直接に摺動して電気回路基板を損害するとの問題を解决したとともに、スマートカードホルダーの使用寿命を向上させる効果に達することができる。
【００３７】
当業者にとって、明細書を考慮してこの発明を実施した後、本発明のその他の実施の形態を容易に想到し得ることができる。本願は、本発明のいかなる変形、用途又は適応的変化をカバーすることを目的とし、これら変形、用途又は適応的変化は、本発明の一般的原理に従うとともに、本発明に開示されていない本技術分野における公知の常識又は慣用の技術手段を含む。明細書及び実施例は、例示的なものに過ぎず、本発明の本当の範囲及び主旨は、特許請求の範囲に含まれる。
【００３８】
本発明は、上記説明、及び図示された精確な構成に限定されず、本発明の範囲を逸脱しない限り、様々な修正と変更が可能であることを理解すべきである。本発明の範囲は、添付する特許要請の範囲にのみ制限される。
【図１】
2017513206.tif 000003
【図２Ａ】
2017513206.tif 000004
【図２Ｂ】
2017513206.tif 000005
【図２Ｃ】
2017513206.tif 000006
【図２Ｄ】
2017513206.tif 000007
【国際調査報告】
2017513206.tif 000008
2017513206.tif 000009
2017513206.tif 000010
2017513206.tif 000011
2017513206.tif 000012
2017513206.tif 000013